(57)【要約】【課題】電気機器の運転状況の遠隔表示に関し、電気機器との間の通信が正常になされない場合に、適切な情報を簡単に表示可能とする遠隔操作表示装置を得ること。【解決手段】電気機器の運転状況を表示するとともに、電気機器の運転を遠隔操作するための入力操作を受け付ける表示操作部１６と、入力操作に応じた運転指示を電気機器へ送信し、かつ運転状況の情報を電気機器から受信する送受信手段１５と、を有し、送受信手段１５との間の通信が正常に行われていない電気機器があるとき、表示操作部１６は、当該電気機器について、通信に異常が発生したときの運転状況を継続して表示するとともに、運転状況を表示している部分をグレイアウトとする。【選択図】図１
2014161167.tif 000002
【特許請求の範囲】
【請求項１】
電気機器の運転状況を表示するとともに、前記電気機器の運転を遠隔操作するための入力操作を受け付ける表示操作部と、
前記入力操作に応じた運転指示を前記電気機器へ送信し、かつ前記運転状況の情報を前記電気機器から受信する送受信手段と、を有し、
前記送受信手段との間の通信が正常に行われていない前記電気機器があるとき、前記表示操作部は、当該電気機器について、前記通信に異常が発生したときの前記運転状況を継続して表示するとともに、前記運転状況を表示している部分をグレイアウトとすることを特徴とする遠隔操作表示装置。
【請求項２】
前記表示操作部は、前記送受信手段との間の通信が正常に行われていない前記電気機器があるとき、当該電気機器に対する前記入力操作の受け付けを中止することを特徴とする請求項１に記載の遠隔操作表示装置。
【請求項３】
前記表示操作部は、前記運転状況を表示している運転状況表示画面と、前記電気機器に対し発電電力を供給可能な太陽光発電システムの発電電力のデータを表示する電力表示画面との切り替えを可能とすることを特徴とする請求項１または２に記載の遠隔操作表示装置。
【請求項４】
前記表示操作部および前記送受信手段を備える表示ユニットと、
前記太陽光発電システムの前記発電電力を計測する計測ユニットと、を有し、
前記表示ユニットの前記送受信手段は、前記計測ユニットにおける計測結果である前記発電電力のデータを前記計測ユニットから受信することを特徴とする請求項３に記載の遠隔操作表示装置。
【発明の詳細な説明】
【技術分野】
【０００１】
本発明は、遠隔操作表示装置、特に、住宅内のエアコン等の電気機器の遠隔操作を受け付けるとともに、太陽光発電システムによる発電電力や電気機器による消費電力などのデータを表示する遠隔操作表示装置に関する。
【背景技術】
【０００２】
近年、地球温暖化の原因となるＣＯ２の排出量削減問題や、いずれ枯渇が予想される化石燃料に対する代替エネルギーへの関心が高まっている。中でも、クリーンでかつ無尽蔵のエネルギー源である太陽光による太陽光発電システムが注目を集めている。さらに、消費者の省エネルギーへの意識を高め、かつその実践をサポートするための種々の機器も製品化されてきている。また、近年、太陽光発電システムの電力表示システムの機能と、電気機器の遠隔操作の機能とを併せ持つシステムが出てきている。
【０００３】
例えば、特許文献１には、発電電力計測部により計測された発電電力量およびその積算電力量のデータと、消費電力計測部により計測された消費電力量のデータとを無線通信により送信し、送信されたデータを表示装置にて受信し、表示する太陽光発電システムの電力表示システムが開示されている。
【０００４】
また、例えば特許文献２には、複数の電気機器の集中制御を行うシステムにおいて、電気機器が停電から復旧したときに、制御用コントローラから上位システムへの不要な運転状況情報の送信を防ぐためのマスク時間を設けることが開示されている。停電が復旧してから電気機器が再起動するまでの所定時間は、当該電気機器は停止している。電気機器が停止している間は制御用コントローラから上位システムへの運転状況情報の発信は不要なものとなるため、かかる情報発信をマスクし、通信異常とみなす。
【先行技術文献】
【特許文献】
【０００５】
【特許文献１】特開２００５−２４１３８８号公報
【特許文献２】特開２００９−２２８９０７号公報
【発明の概要】
【発明が解決しようとする課題】
【０００６】
上述のように一定時間における情報発信をマスクする技術では、電気機器の運転状況を表示することとした場合、システムの使用者に対し、電気機器の運転状況に関する表示が使用者の意図とは異なるものとなることがあり得る。例えば、本来、停電の間は停止状態となることが一般的であり正常である電気機器について、通信異常との扱いによる表示が、使用者に違和感を覚えさせる場合もある。このように停電やその他の障害等により電気機器の運転状況が不明であるときに、電気機器の運転状況に関する表示が、使用者に対して提示する情報として適切であるかが問題となることがある。
【０００７】
本発明は、上記に鑑みてなされたものであって、電気機器の運転状況の遠隔表示に関し、電気機器との間の通信が正常になされない場合に、適切な情報を簡単に表示可能とする遠隔操作表示装置を得ることを目的とする。
【課題を解決するための手段】
【０００８】
上述した課題を解決し、目的を達成するために、本発明は、電気機器の運転状況を表示するとともに、前記電気機器の運転を遠隔操作するための入力操作を受け付ける表示操作部と、前記入力操作に応じた運転指示を前記電気機器へ送信し、かつ前記運転状況の情報を前記電気機器から受信する送受信手段と、を有し、前記送受信手段との間の通信が正常に行われていない前記電気機器があるとき、前記表示操作部は、当該電気機器について、前記通信に異常が発生したときの前記運転状況を継続して表示するとともに、前記運転状況を表示している部分をグレイアウトとすることを特徴とする。
【発明の効果】
【０００９】
本発明によれば、遠隔操作表示装置は、運転状況を表示している部分をグレイアウトとすることで、当該電気機器との間に通信異常が発生していることを明示する。遠隔操作表示装置は、当該電気機器については通信に異常が発生したときの運転状況の表示を保持することで、通信異常が発生する直前の電気機器の運転状況を使用者に対し提示する。また、通信が復旧したときに、異常発生からの運転状況をグレイアウトの解消によって表示可能とする。これにより、使用者に適切な情報を簡単に表示することができるという効果を奏する。
【図面の簡単な説明】
【００１０】
【図１】図１は、本発明の実施の形態にかかる遠隔操作表示装置と、太陽光発電システムおよび住宅内分電盤との接続構成を示す図である。
【図２】図２は、表示操作部に表示される運転状況表示画面の一例を示す図である。
【図３】図３は、運転状況表示画面における運転切替のタッチスイッチへのタッチ操作に応じて表示されるポップアップ画面の一例を示す図である。
【図４】図４は、運転状況表示画面における設定温度のタッチスイッチへのタッチ操作に応じて表示されるポップアップ画面の一例を示す図である。
【図５】図５は、通信が正常に行われていない電気機器があるときにおける運転状況表示画面の一例を示す図である。
【発明を実施するための形態】
【００１１】
以下に、本発明にかかる遠隔操作表示装置の実施の形態を図面に基づいて詳細に説明する。なお、この実施の形態によりこの発明が限定されるものではない。
【００１２】
実施の形態．
図１は、本発明の実施の形態にかかる遠隔操作表示装置と、太陽光発電システムおよび住宅内分電盤との接続構成を示す図である。
【００１３】
太陽光発電システムは、太陽電池アレイ１およびパワーコンディショナ２を備える。太陽電池アレイ１は、例えば住宅の屋上に設置されている。太陽電池アレイ１は、複数枚の太陽電池モジュールを直列あるいは並列に接続して構成されている。各太陽電池アレイ１には、それぞれパワーコンディショナ２が接続されている。
【００１４】
太陽電池アレイ１は、太陽光を受けて発電し、直流電力を発生させる。パワーコンディショナ２は、太陽電池アレイ１で発生した直流電力を、交流電力へ変換する。パワーコンディショナ２の出力線５は、分電盤３に接続されている。太陽光発電システムからの交流電力は、分電盤３内の分岐ブレーカーを経由して、住宅内の電気機器であるエアコン４等で消費される。
【００１５】
曇天時や雨天時など、発電電力が少ない場合や、夜間など発電ができない場合には、商用電源（系統電源）から分電盤３を経由して電力が各電気機器に供給される（買電）。これとは逆に、発電電力が、そのときに住宅内の各電気機器で消費されている全消費電力より多い場合は、その余剰分は分電盤３を経由して商用電源に逆潮流される（売電）。
【００１６】
遠隔操作表示装置は、計測ユニット６および表示ユニット７を備える。計測ユニット６は、電力のデータを収集し、電力量を演算する。計測ユニット６は、太陽光発電システムにより発電された発電電力と、住宅内における消費電力を計測する。計測ユニット６は、表示ユニット７との間の無線通信のための送信手段１４を備える。送信手段１４は、計測ユニット６での計測結果である発電電力のデータを含む各種電力データを送信する。
【００１７】
表示ユニット７は、送受信手段１５および表示操作部１６を備える。送受信手段１５は、計測ユニット６から各種電力データを受信する。表示操作部１６は、電力表示画面と、後述の運転状況表示画面とに、表示を切り替え可能であるものとする。
【００１８】
表示操作部１６は、電力表示画面では、計測ユニット６からの入力に応じて、電力や電力量などのデータ、グラフなどを表示する。表示操作部１６は、例えば、タッチパネルを備える液晶ディスプレイ（ＬＣＤ）である。
【００１９】
表示操作部１６は、パワーコンディショナ２との通信や、電流センサ９、売買電力検出用電流センサ１１、電流センサ１２により計測ユニット６にて収集した発電電力、売電電力、買電電力、および各エアコン４で消費されている消費電力を、電力表示画面にて表示する。計測ユニット６の送信手段１４と表示ユニット７の送受信手段１５とは、互いのデータのやり取りを、例えば無線ＬＡＮによる通信で行う。
【００２０】
計測ユニット６との間で送受信可能な通信機能をパワーコンディショナ２が有している場合、太陽光発電システムで発電された電力のデータは、パワーコンディショナ２および計測ユニット６の間に配線された通信線８を介して、計測ユニット６へ送られる。
【００２１】
計測ユニット６との間で送受信可能な通信機能がパワーコンディショナ２に無い場合、パワーコンディショナ２から分電盤３への出力線５に電流センサ９が設けられる。その電流センサ９の出力が、計測ユニット６の電流センサ入力部１０に入力されることにより、計測ユニット６は、そのパワーコンディショナ２からの発電電力のデータを収集する。
【００２２】
分電盤３内に装着された売買電力検出用電流センサ１１は、商用電源および分電盤３の間に流れる電流の値と向きを計測する。計測ユニット６は、売買電力検出用電流センサ１１での計測結果から、売電電力および買電電力のデータを収集する。
【００２３】
分電盤３内の分岐ブレーカーの二次側には、それぞれ電流センサ１２が装着されている。電流センサ１２は、分岐ブレーカーごとの電流を計測する。計測ユニット６は、電流センサ１２での計測結果から、分岐ブレーカーの出力側に接続された電気機器であるエアコン４ごとに、消費されている電力のデータを収集する。
【００２４】
なお、図１では、分岐ブレーカーの出力側に２つのエアコン４を接続している例を示しているが、エアコン４の数は任意であるものとする。また、分岐ブレーカーの出力側には、エアコン４が接続される場合に限られず、いずれの電気機器が接続されるものとしても良い。
【００２５】
電力線１３は、計測ユニット６および分電盤３を接続する。計測ユニット６は、電力線１３を介して、分電盤３内の１分岐ブレーカーから配線されたコンセントに接続、あるいは１分岐ブレーカーの二次側に直接接続されるなどにより、計測ユニット６自身の電源を得ている。計測ユニット６は、この電源の電圧値を計測し、電流センサ１２などによって得られた電流値との演算を行って、各種電力データを得ている。
【００２６】
住宅内の電気機器であるエアコン４は、分電盤３内の分岐ブレーカーの二次側に接続されている。エアコン４は、表示ユニット７との通信を行うための送受信手段１７を備える。エアコン４の送受信手段１７と表示ユニット７の送受信手段１５とは、互いのデータのやり取りを、例えば無線ＬＡＮによる通信で行う。
【００２７】
図２は、表示操作部に表示される運転状況表示画面の一例を示す図である。表示操作部１６は、運転状況表示画面２０にて、各エアコン４の運転状況を表示する。
【００２８】
運転状況表示画面２０には、各エアコン４について、「エアコン名称」、「運転状態」、「運転切替」、「設定温度」および「室内温度」が表示されている。「エアコン名称」は、エアコン４ごとに設定された名称を表す。「運転状態」には、各エアコン４の現在の運転状態が、運転および停止のいずれであるかが示されている。
【００２９】
各エアコン４について、「運転切替」の列に配置されているアイコンには、各エアコン４の現在の運転モードが、冷房、暖房、除湿および送風のいずれであるかが示されている。また、「停止」のアイコンは、エアコン４が停止状態であることを示している。「運転切替」の列に配置されているアイコンは、指などのタッチによって操作されるタッチスイッチであるものとする。
【００３０】
各エアコン４について、「設定温度」の列に配置されているアイコンには、各エアコン４の現在の設定温度が示されている。かかる設定温度を示すアイコンは、タッチスイッチであるものとする。「室内温度」の列には、各エアコン４が設置されている場所における現在の温度が示されている。
【００３１】
表示ユニット７の送受信手段１５は、無線ＬＡＮにて、エアコン４の送受信手段１７との通信を行う。表示ユニット７は、エアコン４から、運転状態、運転モード、設定温度および室内温度の情報を取得する。また、表示ユニット７は、運転状態、運転モードおよび設定温度の変更のための運転指示を、同様の通信によってエアコン４へ送る。このように、表示ユニット７の送受信手段１５は、入力操作に応じた運転指示を電気機器へ送信し、かつ運転状況の情報を電気機器から受信する。
【００３２】
例えば、図２に「リビングのエアコン」として示されているリビングのエアコン４は、冷房運転、設定温度２７．０℃、室内温度２７．０℃で運転している。運転状況表示画面２０にて、運転状態として「運転」と表示されたアイコンは、リビングのエアコン４が運転中であることを示している。運転切替として「冷房」と表示されたアイコンは、リビングのエアコン４の運転モードが冷房運転であることを示している。設定温度として「２７．０℃」と表示されたアイコンは、リビングのエアコン４の設定温度が２７．０℃であることを示している。室内温度「２７．０℃」の表示は、リビングにおける現在の室内温度が２７．０℃であることを示している。
【００３３】
表示操作部１６は、電気機器であるエアコン４の運転状況を表示している運転状況表示画面２０に対する操作に応じて、運転状況表示画面２０上に、ポップアップ画面を表示する。表示操作部１６は、ポップアップ画面にて、エアコン４の運転を遠隔操作するための入力操作を受け付ける。
【００３４】
図３は、運転状況表示画面における運転切替のタッチスイッチへのタッチ操作に応じて表示されるポップアップ画面の一例を示す図である。表示操作部１６は、運転状況表示画面２０のうち、運転モードを表示している位置、すなわち「運転切替」の列に配置されているアイコンに対するタッチ操作に応じて、運転モードの切り替えのためのポップアップ画面２１を表示する。ポップアップ画面２１では、運転モードの切り替えのための入力操作と、運転停止のための入力操作とを受け付ける。
【００３５】
例えば、リビングのエアコン４の運転を停止させる場合は、使用者は、図２において「リビングのエアコン」と同じ行に位置する「冷房」のアイコンをタッチする。表示操作部１６は、かかるタッチ操作を受けて、運転状況表示画面２０に重畳させて、「「運転モード」切替」と題されたポップアップ画面２１を表示する。
【００３６】
ポップアップ画面２１には、「冷房」、「暖房」、「除湿」、「送風」、「運転停止」、「キャンセル」および「確定」の各アイコンを備える。「冷房」、「暖房」、「除湿」、「送風」のアイコンは、それぞれ冷房運転、暖房運転、除湿運転、送風運転のＯＮ／ＯＦＦを操作するためのタッチスイッチであるものとする。
【００３７】
「運転停止」のアイコンは、運転停止の操作のためのタッチスイッチである。「キャンセル」のアイコンは、各操作について確定前の入力を取り消すためのタッチスイッチである。「確定」のアイコンは、各操作についての入力を確定するためのタッチスイッチである。「冷房」、「暖房」、「除湿」、「送風」および「運転停止」の各アイコンには、現在の運転状況の表示のためのランプが付されている。
【００３８】
例えば、「リビングのエアコン」について、「冷房」のアイコンへのタッチ操作を受けて開かれたポップアップ画面２１において、リビングのエアコン４の現在の運転モードである「冷房」のアイコン内のランプが点灯している。図中、点灯中のランプを黒丸として示し、消灯中のランプを白丸として示している。
【００３９】
この状態のポップアップ画面２１において「運転停止」のアイコンをタッチすると、「冷房」のアイコン内のランプが消灯するとともに、「運転停止」のアイコン内のランプが点灯する。このとき、表示ユニット７は、リビングのエアコン４に対して、冷房運転から運転停止への切り替えを指示しようしている状態となる。
【００４０】
この状態から「確定」のアイコンをタッチすると、表示ユニット７は、リビングのエアコン４に対し、運転停止の指示を送信する。リビングのエアコン４は、表示ユニット７からの指示に応じて、運転を停止する。また、表示操作部１６は、ポップアップ画面２１を閉じ、運転状況表示画面２０の表示に戻る。
【００４１】
この運転状況表示画面２０では、「リビングのエアコン」の「運転状態」および「運転切替」には、「停止」と表示されるとともに、「設定温度」が空欄となる。このときの「リビングのエアコン」についての表示は、図２に示す「寝室のエアコン」についての表示と同様となる。
【００４２】
なお、上述する「確定」のアイコンへのタッチに代えて、「キャンセル」のアイコンをタッチした場合、その前における「運転停止」のタッチ操作を無効とする。これにより、リビングのエアコン４は、それまでの冷房運転を続行する。
【００４３】
次に、運転モードを「冷房」から「除湿」へ切り替える操作の例を説明する。例えば、「リビングのエアコン」について、「冷房」のアイコンへのタッチ操作を受けて開かれたポップアップ画面２１において、「除湿」のアイコンをタッチする。このとき、「冷房」のアイコン内のランプが消灯するとともに、「除湿」のアイコン内のランプが点灯する。表示ユニット７は、リビングのエアコン４に対して、冷房運転から除湿運転への切り替えを指示しようしている状態となる。
【００４４】
この状態から「確定」のアイコンをタッチすると、表示ユニット７は、リビングのエアコン４に対し、除湿運転への切り替えの指示を送信する。リビングのエアコン４は、表示ユニット７からの指示に応じて、運転モードを除湿運転へ切り替える。なお、「確定」のアイコンへのタッチに代えて、「キャンセル」のアイコンをタッチした場合、その前における「除湿」のアイコンへのタッチ操作を無効とする。これにより、リビングのエアコン４は、それまでの冷房運転を続行する。
【００４５】
図４は、運転状況表示画面における設定温度のタッチスイッチへのタッチ操作に応じて表示されるポップアップ画面の一例を示す図である。表示操作部１６は、運転状況表示画面２０のうち、設定温度を表示している位置、すなわち「設定温度」のアイコンに対するタッチ操作に応じて、設定温度の切り替えのためのポップアップ画面２２を表示する。ポップアップ画面２２では、設定温度の切り替えのための入力操作を受け付ける。
【００４６】
例えば、リビングのエアコン４の設定温度を２７．０℃から２８．０℃へ変更する場合は、使用者は、「リビングのエアコン」について、設定温度を表示している「２７．０℃」のアイコンをタッチする。表示操作部１６は、かかるタッチ操作を受けて、運転状況表示画面２０に重畳させて、設定温度の数値が表示されたポップアップ画面２２を表示する。
【００４７】
ポップアップ画面２２には、設定温度の数値の表示、数値の変更ボタンであるアイコン、タッチスイッチである「キャンセル」および「確定」の各アイコンを備える。数値に隣接して配置された上三角（△）のアイコンは、数値を増加させる変更ボタンである。また、下三角（▽）のアイコンは、数値を減少させる変更ボタンである。
【００４８】
表示操作部１６は、ポップアップ画面２２にて、数値の変更ボタンのアイコンへのタッチ操作により、設定温度の数値を変更させる。設定温度の数値を「２８」に変えることで、リビングのエアコン４に対して、２８．０℃への設定温度の変更を指示しようとしている状態となる。
【００４９】
この状態から「確定」のアイコンをタッチすると、表示ユニット７は、リビングのエアコン４に対し、２８．０℃へ設定温度を変更する指示を送信する。リビングのエアコン４は、表示ユニット７からの指示に応じて、設定温度を２８．０℃へ変更する。また、表示操作部１６は、ポップアップ画面２２を閉じ、運転状況表示画面２０の表示に戻る。この運転状況表示画面２０では、「リビングのエアコン」について、設定温度のアイコンには「２８．０℃」と表示される。
【００５０】
なお、上述する「確定」のアイコンへのタッチに代えて、「キャンセル」のアイコンをタッチした場合、その前に設定温度の数値を「２８」へと変えたときのタッチ操作を無効とする。これにより、リビングのエアコン４は、設定温度をそれまでの２７．０℃のままとする。
【００５１】
このように、本実施の形態にかかる遠隔操作表示装置は、運転状況表示画面２０において電気機器の運転状況を表示するとともに、運転状況表示画面２０に対する操作があったときに、運転状況についての操作のためのポップアップ画面２１，２２を表示する。
【００５２】
図５は、通信が正常に行われていない電気機器があるときにおける運転状況表示画面の一例を示す図である。送受信手段１５との間の通信が正常に行われていない電気機器があるとき、表示操作部１６は、当該電気機器について、通信に異常が発生したときの運転状況を継続して表示するとともに、運転状況を表示している部分をグレイアウトとする。
【００５３】
例えば、表示ユニット７の送受信手段１５と、リビングのエアコン４との間の通信が正常に行われていないとする。表示操作部１６は、このリビングのエアコン４について運転状況を表示している行の部分（エアコン名称「リビングのエアコン」の表示、運転状態「運転」の表示、運転切替「冷房」のアイコン、設定温度「２７．０℃」のアイコン、室内温度「２７．０℃」の表示）をグレイアウトとする。
【００５４】
表示ユニット７は、グレイアウトとする表示によって、リビングのエアコン４との通信に異常が発生していることを使用者に明示する。グレイアウトは、例えば、他の表示の部分に対し輝度を低下させる等、いずれの手法によるものであっても良い。
【００５５】
また、表示操作部１６は、通信に異常が発生したときのリビングのエアコン４の運転状況を継続して表示する。例えば、通信が異常となる直前においてリビングのエアコン４の運転状況が運転状態「運転」、運転切替「冷房」、設定温度「２７．０℃」、室内温度「２７．０℃」であったとすると、通信に異常が発生してからも、その運転状況の内容を、グレイアウトの状態において表示する。これにより、表示操作部１６は、かかる運転状況であるときにおいてリビングのエアコン４との通信に異常が発生したことを示している。
【００５６】
表示操作部１６は、リビングのエアコン４との間の通信が正常状態に戻ると、グレイアウトを解消する。これにより、表示操作部１６は、リビングのエアコン４との間の通信が復旧したことを明示する。表示操作部１６は、リビングのエアコン４について、通信の復旧によって得られた運転状況の情報を表示する。
【００５７】
表示操作部１６は、送受信手段１５との間の通信が正常に行われていない電気機器があるとき、当該電気機器に対する入力操作の受け付けを中止する。例えば、表示操作部１６は、リビングのエアコン４との間の通信が正常に行われていない場合、リビングのエアコン４の「運転切替」へのタッチ操作によるポップアップ画面２１の表示を行わず、運転モードの切り替えのための入力操作の受け付けを中止する。また、表示操作部１６は、リビングのエアコン４について、設定温度のアイコンへのタッチ操作によるポップアップ画面２２の表示を行わず、設定温度の変更のための入力操作の受け付けを中止する。リビングのエアコン４との間の通信が復旧すると、表示操作部１６は、タッチ操作に対するポップアップ画面２１，２２の立ち上げを再開する。
【００５８】
このように、本実施の形態にかかる遠隔操作表示装置は、運転状況を表示している部分をグレイアウトとすることで、当該電気機器との間に通信異常が発生していることを明示する。遠隔操作表示装置は、通信に異常が発生したときの電気機器の運転状況を、グレイアウトとして継続して表示することで、通信異常が発生する直前の電気機器の運転状況を使用者に対し提示する。
【００５９】
遠隔操作表示装置は、電気機器との間の通信が正常状態に戻ると、グレイアウトを解消することで、当該電気機器との間の通信が復旧したことを明示する。遠隔操作表示装置は、グレイアウトを解消するとともに、通信によって得られた運転状況の情報を表示する。このようにして、遠隔操作表示装置は、使用者に対し、適切な情報を簡単かつ分かり易いように表示することができる。
【００６０】
遠隔操作表示装置は、送受信手段１５との間の通信が正常に行われていない電気機器があるとき、当該電気機器に対する入力操作の受け付けを中止する。これにより、遠隔操作表示装置は、通信が正常に行われていない電気機器に対する無駄な運転指示の送信を阻止可能とする。
【００６１】
使用者は、本実施の形態の遠隔操作表示装置を使用することで、電力表示画面によって発電量、消費電力、売電・買電量等の電力情報を確認しながら、表示操作部１６への操作によって電気機器の運転を遠隔操作することができる。
【００６２】
本実施の形態の遠隔操作表示装置は、計測ユニット６、表示ユニット７および電気機器であるエアコン４の間の通信手段として無線ＬＡＮを使用しているが、これに限られない。遠隔操作表示装置は、無線ＬＡＮ以外の無線通信、例えば、Ｂｌｕｅｔｏｏｔｈ（登録商標）や、有線ＬＡＮ、電力線搬送等の通信手段を使用しても良い。
【００６３】
遠隔操作表示装置の表示および操作の対象とする電気機器は、エアコン４以外であっても良い。遠隔操作表示装置は、エアコン４のほか、例えば、照明機器や給湯器等、複数の運転状態を有する電気機器の遠隔操作および表示に適している。遠隔操作表示装置は、太陽光発電システムの電力情報を表示するとともに、電気機器の運転状況の表示と、使用者による電気機器の遠隔操作とにより、使用者による省エネルギーの実践をサポートするのに有用である。
【符号の説明】
【００６４】
１  太陽電池アレイ、２  パワーコンディショナ、３  分電盤、４  エアコン、５  出力線、６  計測ユニット、７  表示ユニット、８  通信線、９  電流センサ、１０  電流センサ入力部、１１  売買電力検出用電流センサ、１２  電流センサ、１３  電力線、１４  送信手段、１５  送受信手段、１６  表示操作部、１７  送受信手段、２０  運転状況表示画面、２１，２２  ポップアップ画面。
【図１】
2014161167.tif 000003
【図２】
2014161167.tif 000004
【図３】
2014161167.tif 000005
【図４】
2014161167.tif 000006
【図５】
2014161167.tif 000007